(57)【要約】  電話会議を確立する方法および装置には、電話会議および１人以上の関係者に関する登録要求を受信することが含まれている。この方法および装置には、電話会議に参加するための電話会議情報から成る招待と一緒に通知を関係者に送信することも含まれている。さらにこの方法および装置には、招待の中の電話会議情報を選択することによる電話会議への参加要求を関係者から受信することが含まれている。この方法および装置には、関係者と一緒に電話会議を確立することがさらに含まれている。【選択図】図１
2013518531.tif 000002
【特許請求の範囲】
【請求項１】
電話会議を確立するための方法であって、
前記電話会議および一人以上の関係者に関する登録要求をサーバで受信すること、
前記電話会議に参加するための電話会議情報から成る招待と一緒に通知を前記１人以上の関係者に送信すること、
前記招待の中の前記電話会議情報を選択することによる前記電話会議への参加要求を少なくとも１人の関係者から受信すること、および
前記少なくとも１人の関係者と一緒に前記電話会議を確立すること
を具備する方法。
【請求項２】
前記登録要求が前記１人以上の関係者を前記電話会議に招待する通信経路をさらに具備する請求項１記載の方法。
【請求項３】
前記通信経路がＳＭＳメッセージ、ＭＭＳメッセージ、電話、イーメールメッセージ、インスタントメッセージ、ウェブの同報通信、またはソーシャルネットワークメッセージの一つを具備する請求項２記載の方法。
【請求項４】
前記１人以上の関係者が、前記電話会議の主催者に関連付けられている交信相手のリストから選択される請求項１記載の方法。
【請求項５】
前記通知が、ＳＭＳメッセージ、ＭＭＳメッセージ、電話、イーメールメッセージ、インスタントメッセージ、ウェブの同報通信、またはソーシャルネットワークメッセージの１つを具備する請求項１記載の方法。
【請求項６】
前記通知が、前記１人以上の関係者に関連付けられている通信装置に基づいて前記１人以上の関係者毎に調整される請求項５記載の方法。
【請求項７】
前記電話会議情報が電話会議の名称、電話会議のアドレス、電話会議の識別、電話会議の時間、または電話会議にアクセスするためのパスコードの一つを具備する請求項１記載の方法。
【請求項８】
前記電話会議の前記アドレスが前記サーバの宛先アドレスである請求項１記載の方法。
【請求項９】
前記サーバの前記宛先アドレスへのリンクを選択することをさらに具備する請求項８記載の方法。
【請求項１０】
前記電話会議のために前記少なくとも１人の関係者を認証すること、
前記電話会議のために認証された前記少なくとも１人の関係者と一緒に前記電話会議を確立すること
をさらに具備する請求項１記載の方法。
【請求項１１】
前記少なくとも１人の関係者を認証することは、
前記少なくとも１人の関係者に関連付けられている識別が前記電話会議のための認められている識別であるのかどうかを判定すること、および
前記識別が前記電話会議のための前記認められている識別である場合には前記少なくとも１人の関係者を前記電話会議に接続すること
をさらに具備する請求項１０記載の方法。
【請求項１２】
前記少なくとも１人の関係者に関連付けられている前記識別には通信装置の電話番号、無線装置のＳＩＭ番号、位置、または生体識別情報の一つを具備する請求項１１記載の方法。
【請求項１３】
前記認められている識別には通信装置の電話番号、無線装置のＳＩＭ番号、位置、または生体識別情報の一つを具備する請求項１１記載の方法。
【請求項１４】
前記判定することは、
前記少なくとも１人の関係者に関連付けられている前記識別を前記会議のための１件以上の認められている識別と比較すること、
前記少なくとも１人の関係者に関連付けられている前記識別が前記会議のための少なくとも１件の前記認められている識別と整合している場合には前記識別が前記会議のための認められている識別であることを表示すること、および
前記少なくとも１人の関係者に関連付けられている前記識別が前記会議のための少なくとも１件の前記認められている識別と整合していない場合には前記識別が前記会議のための認められている識別ではないことを表示すること
を具備する請求項１１記載の方法。
【請求項１５】
前記少なくとも１人の関係者が前記電話会議にアクセスするためのアクセスコードを有しているかどうかを判定すること、および
前記少なくとも１人の関係者が前記電話会議にアクセスするための前記アクセスコードを有している場合には前記少なくとも１人の関係者を前記電話会議に接続すること
をさらに具備する請求項１１記載の方法。
【請求項１６】
確立された電話会議を記録すること、および
前記記録された電話会議を記憶すること
をさらに具備する請求項１記載の前記方法。
【請求項１７】
前記電話会議が前記招待の送信と同時に確立される請求項１記載の方法。
【請求項１８】
懸案の電話会議に参加していない１人以上の関係者に前記懸案の電話会議に参加するための招待と一緒に別の通知を送信することをさらに具備する請求項１７記載の方法。
【請求項１９】
前記懸案の電話会議に参加するための別の要求を前記１人以上の関係者から受信すること、および
前記懸案の電話会議に参加するための前記要求を受信すると前記１人以上の関係者を前記懸案の電話会議に直ぐに参加させること
をさらに具備する請求項１８記載の方法。
【請求項２０】
前記１人以上の関係者が前記電話会議に直ぐに参加することになることを示すメッセージを流すことをさらに具備する請求項１７記載の方法。
【請求項２１】
電話会議を確立するように構成されている少なくとも１台のプロセッサであって、
前記電話会議および１人以上の関係者に関する登録要求を受信する第１モジュール、
前記電話会議に参加するための電話会議情報から成る招待と一緒に通知を前記１人以上の関係者に送信する第２モジュール、
前記招待の中の前記電話会議情報を選択することによる前記電話会議への参加要求を少なくとも１人の関係者から受信する第３モジュール、および
前記少なくとも１人の関係者と一緒に前記電話会議を確立する第４モジュール
を具備するプロセッサ。
【請求項２２】
電話会議および１人以上の関係者に関する登録要求を受信することをコンピュータに行わせる少なくとも一つの命令、
前記電話会議に参加するための電話会議情報から成る招待と一緒に通知を前記１人以上の関係者に送信することを前記コンピュータに行わせる少なくとも一つの命令、
前記招待の中の前記電話会議情報を選択することによる前記電話会議への参加要求を少なくとも１人の関係者から受信することを前記コンピュータに行わせる少なくとも一つの命令、
前記少なくとも１人の関係者と一緒に前記電話会議を確立することを前記コンピュータに行わせる少なくとも一つの命令
を具備するコンピュータ可読媒体を具備するコンピュータプログラム製品。
【請求項２３】
電話会議および１人以上の関係者に関する登録要求を受信する手段、
前記電話会議に参加するための電話会議情報から成る招待と一緒に通知を前記１人以上の関係者に送信する手段、
前記招待の中の前記電話会議情報を選択することによる前記電話会議への参加要求を少なくとも１人の関係者から受信する手段、および
前記少なくとも１人の関係者と一緒に前記電話会議を確立する手段
を具備する装置。
【請求項２４】
電話会議を確立する装置であって、
前記電話会議および１人以上の関係者に関する登録要求を受信するように作動する会議管理プログラム、
前記電話会議に参加するための電話会議情報から成る招待と一緒に通知を前記１人以上の関係者に送信するように作動する通知コンポーネント、
前記招待の中の前記電話会議情報を選択することによる前記電話会議への参加要求を少なくとも１人の関係者から受信するようにさらに作動する前記の会議管理プログラム、および
前記少なくとも１人の関係者と一緒に前記電話会議を確立するように作動する通信コンポーネント
を具備する装置。
【請求項２５】
前記登録要求が前記１人以上の関係者を前記電話会議に招待する通信経路をさらに具備する請求項２４記載の装置。
【請求項２６】
前記通信経路がＳＭＳメッセージ、ＭＭＳメッセージ、電話、イーメールメッセージ、インスタントメッセージ、ウェブの同報通信、またはソーシャルネットワークメッセージの１つを具備する請求項２５記載の装置。
【請求項２７】
前記１人以上の関係者が、前記電話会議の主催者に関連付けられている交信相手のリストから選択される請求項２４記載の装置。
【請求項２８】
前記通知が、ＳＭＳメッセージ、ＭＭＳメッセージ、電話、イーメールメッセージ、インスタントメッセージ、ウェブの同報通信、またはソーシャルネットワークメッセージの一つを備える請求項２４記載の装置。
【請求項２９】
前記通知コンポーネントが、前記１人以上の関係者に関連付けられている通信装置に基づいて前記１人以上の関係者毎に前記通知を調整する請求項２８記載の装置。
【請求項３０】
前記電話会議情報が電話会議の名称、電話会議のアドレス、電話会議の識別、電話会議の時間、または電話会議にアクセスするためのパスコードの一つを具備する請求項２４記載の装置。
【請求項３１】
前記電話会議の前記アドレスがサーバの宛先アドレスである請求項２４記載の装置。
【請求項３２】
前記電話会議情報を選択することには前記サーバの前記宛先アドレスへのリンクを選択することをさらに具備する請求項３１記載の装置。
【請求項３３】
前記電話会議のために前記少なくとも１人の関係者を認証するように作動する検証コンポーネント、および
前記電話会議のために認証された前記少なくとも１人の関係者と一緒に前記電話会議を確立するように作動する前記の通信コンポーネント
をさらに具備する請求項２４記載の装置。
【請求項３４】
前記検証コンポーネントが、前記少なくとも１人の関係者に関連付けられている識別が前記電話会議のための認められている識別であるのかどうかを判定するように作動し、
前記通信コンポーネントが、さらに、前記識別が前記電話会議のための前記認められている識別である場合には前記少なくとも１人の関係者を前記電話会議に接続するように作動する請求項３３記載の装置。
【請求項３５】
前記少なくとも１人の関係者に関連付けられている前記識別には通信装置の電話番号、無線装置のＳＩＭ番号、位置、または生体識別情報の一つを具備する請求項３４記載の装置。
【請求項３６】
前記認められている識別には通信装置の電話番号、無線装置のＳＩＭ番号、位置、または生体識別情報の一つを具備する請求項３４記載の装置。
【請求項３７】
前記検証コンポーネントが、さらに、
前記少なくとも１人の関係者に関連付けられている前記識別を前記会議のための１件以上の認められている識別と比較し、
前記少なくとも１人の関係者に関連付けられている前記識別が前記会議のための少なくとも１件の前記認められている識別と整合している場合には前記識別が前記会議のための認められている識別であることを表示し、
前記少なくとも１人の関係者に関連付けられている前記識別が前記会議のための少なくとも１件の前記認められている識別と整合していない場合には前記識別が前記会議のための認められている識別ではないことを表示する
ように作動する請求項３４記載の装置。
【請求項３８】
前記検証コンポーネントが、さらに、前記少なくとも１人の関係者が前記電話会議にアクセスするためのアクセスコードを有しているかどうかを判定するように作動し、
前記通信コンポーネントが、さらに、前記少なくとも１人の関係者が前記電話会議にアクセスするための前記アクセスコードを有している場合には前記少なくとも１人の関係者を前記電話会議に接続するように作動する、請求項３４記載の装置。
【請求項３９】
前記確立された電話会議を記録し、前記記録された電話会議を記憶する記録コンポーネントをさらに具備する請求項２４記載の装置。
【請求項４０】
前記通信コンポーネントが前記招待の送信と同時に前記電話会議を確立するようにさらに作動する請求項２４記載の装置。
【請求項４１】
前記通知コンポーネントが、さらに、懸案の電話会議に参加していない１人以上の関係者に前記懸案の電話会議に参加するための招待と一緒に別の通知を送信するように作動する請求項４０記載の装置。
【請求項４２】
前記会議管理プログラムが、さらに、前記懸案の電話会議に参加するための要求を前記１人以上の関係者から受信して、前記懸案の電話会議に参加するための前記要求を受信すると前記１人以上の関係者を前記懸案の電話会議に直ぐに参加させるように作動する請求項４１記載の装置。
【請求項４３】
前記通信コンポーネントが、さらに、前記１人以上の関係者が前記電話会議に直ぐに参加することになることを示すメッセージを流すように作動する請求項４０記載の装置。
【請求項４４】
電話会議に参加する方法であって、
１件以上の電話会議に参加するための招待を無線装置で受信すること、
参加する第１の電話会議を選択すること、および
前記無線装置に関連付けられている識別に基づいて前記第１の電話会議に直ぐに参加すること
を具備する方法。
【請求項４５】
参加する第２の電話会議を選択することをさらに具備する請求項４４記載の方法。
【請求項４６】
前記第２の電話会議を選択することは、メニューの選択肢か電話のキーの一方を用いて前記第２の電話会議を選択することを具備する請求項４５記載の方法。
【請求項４７】
前記第２の電話会議に切り替えることをさらに具備する請求項４５記載の方法。
【請求項４８】
前記第２の電話会議に切り替えることは、前記第１の電話会議から切断することをさらに具備する請求項４７記載の方法。
【請求項４９】
前記第１の電話会議および前記第２の電話会議が同時に保留中である請求項４５記載の方法。
【請求項５０】
電話会議に参加するための少なくとも１台のプロセッサであって、
１件以上の電話会議に参加するための招待を受信する第１モジュール、
参加する第１の電話会議を選択する第２モジュール、および
無線装置に関連付けられている識別に基づいて前記第１の電話会議に直ぐに参加する第３モジュール
を具備するプロセッサ。
【請求項５１】
１件以上の電話会議に参加するための招待を受信することをコンピュータに行わせる少なくとも一つの命令、
参加する第１の電話会議を選択することを前記コンピュータに行わせる少なくとも一つの命令、
無線装置に関連付けられている識別に基づいて前記第１の電話会議に直ぐに参加することを前記コンピュータに行わせる少なくとも１つの命令
を具備するコンピュータ可読媒体を具備するコンピュータプログラム製品。
【請求項５２】
１件以上の電話会議に参加するための招待を受信する手段、
参加する第１の電話会議を選択する手段、
無線装置に関連付けられている識別に基づいて前記第１の電話会議に直ぐに参加する手段
を具備する装置。
【請求項５３】
電話会議に参加するための装置であって、
１件以上の電話会議に参加するための招待を受信するように作動するコンポーネント、
参加する第１の電話会議を選択するように作動するコンポーネント、および
無線装置に関連付けられている識別に基づいて前記第１の電話会議に直ぐに参加するように作動する通信コンポーネント
を具備する装置。
【請求項５４】
参加する第２の電話会議を選択するように前記コンポーネントがさらに作動する請求項５３記載の装置。
【請求項５５】
前記第２の電話会議を選択することは、メニューの選択肢か電話のキーの一方を用いて前記第２の電話会議を選択することを具備する請求項５４記載の装置。
【請求項５６】
前記通信コンポーネントが前記第２の電話会議に切り替えるようにさらに作動する請求項５４記載の装置。
【請求項５７】
前記第２の電話会議に切り替えることは、前記第１の電話会議から切断することをさらに具備する請求項５６記載の装置。
【請求項５８】
前記第１の電話会議および前記第２の電話会議が同時に保留中である請求項５４記載の装置。
【発明の詳細な説明】
【技術分野】
【０００１】
米国特許法第１１９条に基づく優先権の主張
この特許出願は、２０１０年１月２８日に出願がなされ、「移動中に電話会議をするためのシステムと方法（System and Method for Call conferencing in Mobile Environment）」と言う名称が付けられ、この譲受人に譲渡され、この参照により全体的にここに明確に組み込まれる米国仮特許出願第６１／３３６，９３０号の優先権を主張する。
【背景技術】
【０００２】
一般に電話会議は、複数の関係者を各々の電話接続により互いに繋げて関係者全員が電話会議に参加できるようにするツールである。電話会議では、関係者は恰もお互いに居合わせているかのように相手に話しかけたり相手の話を聞いたりすることができる。一般に電話会議に参加するためのダイヤルイン電話番号やパスコードと一緒に電話会議の関係者に通知が送られる。電話会議には一般に世話人または主催者がいる。電話会議の招待者に招待（invitation）を配布したり電話会議の費用を請求したりするのに世話人または主催者のアカウントが使用される。
【０００３】
また、会議開催システムは、典型的には、電子メールやブラウザベースの招待を信頼するサービス、および電話会議を確立するための主催技術によって提供される。さらに、会議開催システムは一般にパスコードの入力に依存している。通常パスコードは供給を受けた数値コードであり、電話機のボタンを押してこのコードを入力すると検出可能なデュアルトーン多周波シグナリング（ＤＴＭＦ：dual-tone multi-frequency signaling）シーケンスが発生して関係者が電話会議に参加できるようになる。
【０００４】
このような会議開催システムを無線装置のユーザが利用するのは難しい。したがって、無線装置のユーザが含まれていたり無線装置のユーザが主催者であったりする電話会議セッションの準備、主催、確立、運営を容易に行えるようにするための方法およびシステムを提供する必要性がこの技術分野にある。
【発明の概要】
【０００５】
１種類以上の態様の基本的な理解が得られるように諸態様の概要を以下に述べる。以下に示す概要は、考えることのできる全ての態様に関する広範な概観でもなければ、全態様の鍵となる重要な要素を特定するものでもなく、全ての態様またはいずれかの態様の範囲を叙述するものでもない。この概要の唯一の目的は、後に提示する詳細な説明の序文として１種類以上の態様の観念を簡単な形態で提供することである。
【０００６】
ある態様は、電話会議を確立する方法に関連している。この方法には、電話会議および１人以上の関係者に関する登録要求をサーバで受信することが含まれている。この方法には、電話会議に参加するための電話会議情報を備える招待と一緒に通知を１人以上の関係者に送信することも含まれている。さらにこの方法には、招待の中の電話会議情報を選択することによる電話会議への参加要求を少なくとも１人の関係者から受信することが含まれている。この方法には、少なくとも２人の関係者と一緒に電話会議を確立することがさらに含まれている。
【０００７】
別の態様は、電話会議を確立するように構成されている少なくとも１台のプロセッサに関連している。このプロセッサは、電話会議および１人以上の関係者に関する登録要求を受信する第１モジュールを有している。さらにこのプロセッサは、電話会議に参加するための電話会議情報から成る招待と一緒に通知を１人以上の関係者に送信する第２モジュールを有している。その上プロセッサは、招待の中の電話会議情報を選択することによる電話会議への参加要求を少なくとも１人の関係者から受信する第３モジュールを有している。プロセッサは、少なくとも１人の関係者と一緒に電話会議を確立する第四モジュールも有している。
【０００８】
さらに別の態様は、コンピュータプログラム製品に関連している。コンピュータプログラム製品には、電話会議および１人以上の関係者に関する登録要求を受信することをコンピュータに行わせる少なくとも１つの命令を有しているコンピュータ可読媒体が含まれる。このコンピュータ可読媒体は、電話会議に参加するための電話会議情報を備える成る招待と一緒に通知を１人以上の関係者に送信することをコンピュータに行わせる少なくとも１つの命令をも有している。さらにコンピュータ可読媒体は、招待の中の電話会議情報を選択することによる電話会議への参加要求を少なくとも１人の関係者から受信することをコンピュータに行わせる少なくとも１つの命令を有している。その上にコンピュータ可読媒体は、少なくとも１人の関係者と一緒に電話会議を確立することをコンピュータに行わせる少なくとも１つの命令を有している。
【０００９】
別の態様は装置に関連している。この装置は、電話会議および１人以上の関係者に関する登録要求を受信する手段を有している。この装置は、電話会議に参加するための電話会議情報から成る招待と一緒に通知を１人以上の関係者に送信する手段も有している。この装置は、招待の中の電話会議情報を選択することによる電話会議への参加要求を少なくとも１人の関係者から受信する手段をさらに有している。この装置は、少なくとも１人の関係者と一緒に電話会議を確立する手段も有している。
【００１０】
さらに別の態様は、電話会議を確立する装置に関連している。この装置は、電話会議および１人以上の関係者に関する登録要求を受信するように作動する会議管理プログラム（conference manager）を有している。おまけにこの装置は、電話会議に参加するための電話会議情報を備える招待と一緒に通知を１人以上の関係者に送信するように作動する通知コンポーネントも有している。この装置が有している会議管理プログラムは、招待の中の電話会議情報を選択することによる電話会議への参加要求を少なくとも１人の関係者から受信するようにさらに作動する。その上この装置は、少なくとも１人の関係者と一緒に電話会議を確立するように作動する通信コンポーネントをも有している。
【００１１】
別の態様は、電話会議に参加する方法に関連している。この方法には、１件以上の電話会議に参加するための招待を無線装置で受信することが含まれている。さらにこの方法には、参加する第１の電話会議を選択することが含まれている。この方法は、無線装置に関連付けられている識別（identification）に基づいて第１の電話会議に直ぐに参加することがさらに含まれている。
【００１２】
さらに別の態様は、電話会議に参加するための少なくとも１台のプロセッサに関連している。このプロセッサは、１件以上の電話会議に参加するための招待を受信する第１モジュールを有している。このプロセッサは、参加する第１の電話会議を選択する第２モジュールをさらに有している。その上このプロセッサは、無線装置に関連付けられている識別に基づいて第１の電話会議に直ぐに参加する第３モジュールを有している。
【００１３】
別の態様はコンピュータプログラム製品に関連している。このコンピュータプログラム製品には、１件以上の電話会議に参加するための招待を受信することをコンピュータに行わせる少なくとも１つの命令を含むコンピュータ可読媒体が含まれる。このコンピュータ可読媒体は、参加する第一の電話会議を選択することをコンピュータに行わせる少なくとも１つの命令をも有している。コンピュータ可読媒体は、無線装置に関連付けられている識別に基づいて第１の電話会議に直ぐに参加することをコンピュータに行わせる少なくとも１つの命令をさらに有している。
【００１４】
さらに別の態様は装置に関連している。この装置は、１件以上の電話会議に参加するための招待を受信する手段を有している。この装置は、参加する第１の電話会議を選択する手段を付随的に有していても構わない。この装置は、無線装置に関連付けられている識別に基づいて第１の電話会議に直ぐに参加する手段をもさらに有している。
【００１５】
別の態様は、電話会議に参加するための装置に関連している。この装置は、１件以上の電話会議に参加するための招待を受信するように作動するコンポーネントを有している。その上この装置は、参加する第１の電話会議を選択するように作動するコンポーネントをさらに有していても構わない。この装置は、無線装置に関連付けられている識別に基づいて第１の電話会議に直ぐに参加するように作動する通信コンポーネントをさらに有している。
【００１６】
以上に述べた目的や関連した目的を達成するために１種類以上の態様は以下に詳述されていて特許請求の範囲に特に指摘されている諸要件を具備している。以下の記述や添付図面には１種類以上の態様の特定の例示的特徴が詳しく示されているが、これらの諸特徴は種々様々な態様の原理を採用する色々な方法の幾つかを示しているに過ぎず、以下の記述はそのような全ての態様とその均等物を含むことが意図されている。
【００１７】
以上に概要を示した諸形態を限定するためではなくて図解するために準備した添付図面を参照して以上の諸形態を以下に詳しく説明する。尚、添付図面では類似した参照符号は類似した要素を示している。
【図面の簡単な説明】
【００１８】
【図１】図１は、ある態様による接続システムの例である。
【図２】図２は、別の態様による会議データ記憶装置の典型例である。
【図３】図３は、さらに別の態様によって会議情報を格納している表の典型例である。
【図４】図４は、別の態様によって電話会議を確立する方法を例示するフローチャートである。
【図５】図５は、さらに別の態様によって電話会議に参加する方法を例示するフローチャートである。
【図６】図６は、ある態様によって発信者を電話会議に接続する方法を例示するフローチャートである。
【図７】図７は、別の態様によって１人以上の関係者を電話会議に直ぐに参加させる方法を例示するフローチャートである。
【図８】図８は、ある態様によって接続システム内で作動する無線装置の例である。
【図９】図９は、さらに別の態様によって接続システム内で作動するサーバ装置の例である。
【図１０】図１０は、別の態様によって電話会議を容易に確立するシステムの例である。
【図１１】図１１は、さらに別の態様によって電話会議への参加を容易にするシステムの例である。
【詳細な説明】
【００１９】
添付図面を参照して様々な態様を説明する。１種類以上の態様を完全に理解することができるように以下の記述では説明のために特有の詳細が数多く明らかにされている。しかし、これらの特有の詳細が示されていなかったとしても、それでもどの態様も実施することができることは明らかである。
【００２０】
ここに記述されているどの態様も無線装置用の会議サービスを提供する方法やシステムに関連している。このような会議サービスには、無線装置インターフェースで電話会議を開催することや無線装置で電話会議の招待を受信することが含まれる。ある態様では電話会議の主催者（例えば、電話会議を開催する個人）は、主催者に関連付けられている１人以上の個人を選択して電話会議に参加する。別の態様では電話会議の主催者は、例えば、電話会議を開く時間を前もって設定することもなく電話会議を即座に確立することができる。
【００２１】
さらに、ここに記述されているどの態様も電話会議の関係者として選択されていることを選択された１人以上の個人に通知する方法やシステムに関連している。ある態様では、会議開催サーバは電話会議に参加するための招待と一緒にメッセージを各個人に送信する。別の態様では会議開催サーバは、電話会議に参加するための招待と一緒に個々人に電話を掛ける。
【００２２】
ここに記述されているどの態様も個々人を電話会議に参加させる方法やシステムにも関連している。ある態様では、パスコードを入力したり電話番号を別個に押したりすることもなく電話会議に参加するための招待に応答するだけで発信者は電話会議に参加することができる。
【００２３】
ここで図１を参照する。１台以上の無線装置１０２、１０８、１１０が１種類以上のアクセスネットワーク１０４を経由して１台以上の演算装置やサーバ１０６と通信をしている接続システム１００が例示されている。無線装置１０２、１０８、１１０は、小型携帯移動電話機のようにアクセスネットワーク１０４に接続することのできる移動携帯計算通信装置を含む。無線装置１０２、１０８、１１０のそれぞれは、他の装置の中で、例えば、小型携帯移動電話機、ナビゲーションシステム、計算装置、カメラ、ＰＤＡ、音楽装置、ゲーム装置、または無線接続機能のある携帯用端末であり得る。サーバまたは計算装置１０６は、ネットワークに接続されている移動式または固定式の計算装置を含む。サーバまたは計算装置１０６は、他の装置の中で、計算装置、サーバ、小型携帯移動電話機、カメラ、ＰＤＡ、音楽装置、ゲーム装置、ナビゲーションシステム、無線接続機能のある携帯装置を含むがこれらに限定される訳ではない。
【００２４】
さらに、アクセスネットワーク１０４は任意の種類の無線エアリンクのように１種類以上の通信接続を無線装置１０２、１０８、１１０とサーバ１０６に提供する。無線装置１０２、１０８、１１０は、数ある通信の中でも、例えば、電話コール（telephone call）、電話会議（conference call）、テレビ会議（video conferencing call）、インターネットプロトコルセッション（Internet Protocol session）、音声をインターネットプロトコルに載せた通話（Voice Over Internet protocol (IP) call）、ショートメッセージサービスメッセージ（short message service (SMS) message）、マルチメディアメッセージサービスメッセージ（multimedia messaging service (MMS) message）、インスタントメッセージサービスメッセージ（instant messaging (IM) service message）、チャットまたはネットミーティング関連の接続（chat or net-meeting related connection）、映像や音楽やデータの伝送（a video, music, or data transfer）によりアクセスネットワーク１０４を介して１台以上のサーバ１０６と情報の遣り取りをする。さらに無線装置１０２、１０８、１１０は、１台以上のサーバ１０６あるいはアクセスネットワーク１０４と通信をしている別の装置からアクセスネットワーク１０４を介して情報を受ける。
【００２５】
無線装置１０２には、１人以上の関係者と一緒に電話会議を確立するための電話会議登録要求を送信するように作動する会議セットアップ管理プログラムコンポーネント１０が含まれている。電話会議には、数ある会議用の通話の中でも電話会議の通話、ビデオ会議の通話、ＶｏＩＰによる会議の通話が含まれるが、これらに限定されている訳ではない。電話会議は将来の所望の時間、例えば、次の日の午後３時に設定される。例えば、無線装置１０２のユーザが会議の主催者になって会議セットアップ管理プログラムコンポーネント１０を用いて将来の所望の時間に無線装置１０２と１０４のユーザと一緒に電話会議を確立する。
【００２６】
さらに、電話会議を予め定めておかなくても電話会議を即座に確立することができる。例えば、会議の主催者が電話会議の関係者を１人以上選択して、選択された関係者が招待に応答すれば直ぐに会議が始まるようにすることかできる。したがって、主催者および／または関係者が電話会議に参加すれば会議は動的に発生する。
【００２７】
さらに、会議セットアップ管理プログラムコンポーネント１０には電話会議のために１人以上の関係者１６を選択するように作動する選択コンポーネント１２が含まれている。関係者１６には、無線装置１０２のユーザに関連付けられているデータ貯蔵部に保管されている交信相手（例えば、友達、家族、ソーシャルネットワークの知り合い、仕事仲間、サービスプロバイダ、内科医、店、その他）、個人とその人の電話番号、個人とその人のイーメールアドレス、その他の個人とその人を特定するための何らかの形式が含まれるが、これらに限定される訳ではない。
【００２８】
選択コンポーネント１２は、関係者１６を電話会議に招待する１種類以上の招待１８を選択して電話会議の関係者１６に送信するように作動する。招待１８には、ショートメッセージサーバ（ＳＭＳ）メッセージ、マルチメディアメッセージサービス（ＭＭＳ）メッセージ、イーメールメッセージ、通話コール（telephone call）、ソーシャルネットワークメッセージ（例えば、ツイッターやフェイスブックの更新やメッセージ）、ウェブの同報通信、広告、会議へのリンク、インスタントメッセージが電話会議の準備と告知の様々な態様の中でも含まれているがこれらに限定される訳ではない。例えば、電話会議に参加してもらいたい関係者１６の選択や電話会議の関係者１６に招待を送る方法（例えば、ＳＭＳメッセージ、イーメール、直接電話すること）の選択を会議の主催者が行えるようにするスクリプトを選択することが選択コンポーネント１２によりできるようになる。選択コンポーネント１２は電話会議の主催者を特定するための主催者の識別（ＩＤ）１４を選択するようにさらに作動する。主催者ＩＤ１４としては、電話会議の主催者を特定するための様々な形式の中でも、例えば、主催者の名前、主催者の写真、主催者の電話番号、例えば、無線装置１０２の電話番号、主催者のアドレス（例えば、イーメールアドレスや宛名）を挙げることができる。
【００２９】
ある態様では選択コンポーネント１２は、ユーザおよびその他の両者または一方の無線装置および主催者ＩＤ１４と関係者１６と招待１８の全てまたはいずれかを有しているサーバコンポーネントから入力を受ける。例えば、選択コンポーネント１２は他の無線装置や種々のサーバコンポーネントから入力を受ける。サーバコンポーネントとしては、例えば、メモリやデータベース、クロック、位置特定モジュール、カメラ、マイク、有線または無線の通信インターフェース、キーパッド、タッチセンシティブディスプレイが様々な入力源の中でも挙げられるがこれらに限定される訳ではない。
【００３０】
選択コンポーネント１２は、会議セットアップ管理プログラムコンポーネント１０とインターフェースで接続されていて、例えば、関係者１６や招待１８や主催者ＩＤ１４などの選択された会議情報と一緒に要求をサーバ１０６の会議管理プログラム２２に送信する。例えば主催者は、会議セットアップ管理プログラムコンポーネント１０を用いて３人の関係者と一緒に会議を設定することができる。主催者は、主催者の交信相手および関係者の両者または一方のリストから関係者を選択することができる。リストには、例えば、主催者の無線装置に関連付けられている交信データ記憶装置から得られる交信相手の名前が含まれる。さらに、主催者はＳＭＳメッセージを介して関係者に通知することを選択することもできる。会議セットアップ管理プログラムコンポーネント１０は主催者が選択した会議情報を会議管理プログラム２２に送信することができる。会議管理プログラム２２は会議２６のために要求された詳細を会議データ記憶装置２４に格納することができる。例えば、これから示す図３の例と同じようにして会議情報を格納することができる。
【００３１】
図３は、一態様に基づいて会議情報を格納する表３００の例である。表３００には要求されている会議２６に関する主催者情報が含まれている。主催者情報には、主催者ＩＤ１４（図１）、例えば、主催者の名前、主催者の写真、主催者の電話番号、主催者を識別するためのその他の情報が含まれている。さらに、表３００には会議２６のための呼び出し時刻４２（図２）、例えば、関係者１６（図１）が会議２６に接続しなければならない時刻が含まれている。表３００には、会議２６への参加が呼び掛けられている関係者の関係者ＩＤ４４（図２）がさらに含まれている。表３００には、会議２６にアクセスするための会議ＩＤ４０（図２）、例えば、会議２６にアクセスするための電話番号も含まれている。会議の関係者は一人一人が別個の項目として表３００に格納されていることが分かる。
【００３２】
図１に戻る。会議管理プログラム２２は、１個以上の会議セットアップ管理プログラムコンポーネント１０から１件以上の会議２６に関する会議情報を受信する。したがって、個々の会議２６は図２に例示されているように別個の項目として会議データ記憶装置２４に格納される。
【００３３】
ここで図２に移る。ここには、１件以上の会議２６を格納している一態様の会議データ記憶装置２４が例示されている。会議２６には、会議名３８および会議識別（ＩＤ）４０の両者または一方が会議を識別するために１件以上含まれている。会議ＩＤ４０には、電話会議の電話番号、サーバ１０６の宛先アドレス（destination address）、会議が行われているチャネルの名前を特定するチャネルＩＤ、無作為に発生された番号の全てまたはいずれかが取り分け含まれているが、これらに限定される訳ではない。さらに、会議２６には電話会議の会議時刻４２が含まれている。会議時刻４２は電話会議の関係者が電話会議に接続する時刻である。
【００３４】
会議２６には、会議２６に招待されている１人以上の関係者１６（図１）を識別するための１人以上の関係者ＩＤ４４がさらに含まれている。関係者ＩＤ４４には、個人を識別するための諸形式の中でも、関係者１６の発信者識別（例えば、関係者一人一人の通信装置の電話番号）、関係者一人一人の通信装置のＳＩＭカード番号、関係者一人一人の位置、生体識別情報、顔認識、網膜認識が含まれるが、これらに限定される訳ではない。
【００３５】
さらに、会議２６にはパスコード４６が含まれている。ある態様では、パスコード４６は関係者ＩＤ４４である。例えば、関係者の発信者ＩＤをパスコードとして用いて電話会議にアクセスすることができる。パスコード４６は、例えば、電話会議の関係者が会議に参加するために電話やコンピュータに入力する数値コードである。
【００３６】
図１に戻る。会議管理プログラム２２には関係者１６に参加が呼び掛けられている１件以上の会議２６を１人以上の関係者１６に通知する通知コンポーネント３２も含まれている。ある態様では、通知コンポーネント３２は会議の主催者が選択した招待１８の種類に基づいて１人以上の関係者１６が受信する通知の種類を調整する。例えば、ある関係者は会議の参加を要請するＳＭＳメッセージを受信し、別の関係者は会議の参加を要請する電話を受けるように主催者が選択する。別の態様では、通知コンポーネント３２は関係者の通信装置の機能に基づいて関係者が受信する通知の種類を調整する。例えば、関係者の通信装置にＳＭＳメッセージを受け付ける機能があるのか否か基づいて関係者が受信する通知の種類が調整される。したがって、様々な通信経路を用いて関係者に電話会議の参加を呼び掛けることができる。
【００３７】
会議管理プログラム２２には、会議２６への参加を試みている発信者からの入電を受信する通信コンポーネント３４も含まれている。通信コンポーネント３４は、発信者が会議２６の関係者であるのか否かを検証するために検証コンポーネント３０にインターフェースで接続されている。検証モジュールは比較コンポーネント２８を用いて着信した発信者ＩＤ、例えば、関係者の電話番号を会議２６の１件以上の関係者ＩＤ４４（図２）と比較して発信者を会議２６に参加させることができるのか否かを確かめる。ある態様では、無線装置１０２の会議セットアップ管理プログラムコンポーネント１０には１人以上の関係者に電話会議に参加することを許可する許可コンポーネント２０も含まれている。
【００３８】
会議管理プログラム２２には１件以上の会議２６を記録して記録した会議を記憶するように作動する記録コンポーネント３６も含まれている。例えば、１人以上の関係者が会議に参加できない場合に、その関係者が後で会議にアクセスすることができるように記録コンポーネント３６は会議を記録して記憶する。記録コンポーネント３６は、許可されている個人、例えば、電話会議への参加が元々呼び掛けられていた関係者だけしか記録されている電話会議にアクセスすることができないように検証コンポーネント３０にインターフェースで接続されている。
【００３９】
ここで図４を参照する。ある態様にしたがって電話会議を確立する方法４００は１人以上の関係者と一緒に電話会議の登録を４０２で受信する。例えば会議開催サーバは、１人以上の関係者と一緒に電話会議を設定する要求を主催者から受信する。主催者は、主催者に関係している適切な招待客および交信相手の両者または一方のリストから関係者を選択する。リストには、例えば、主催者の無線装置に関連付けられている交信データ記憶装置からの交信相手の名前が含まれている。
【００４０】
さらに会議開催サーバは、電話会議の関係者に送付するために主催者が選択した招待および告知の両者または一方の種類を受信する。招待の種類には、ＳＭＳメッセージ、ＭＭＳメッセージ、イーメールメッセージ、電話、ソーシャルネットワークメッセージ（例えば、ツイートやフェイスブックの更新およびメッセージの両者または一方）、ウェブの同報通信、広告、会議へのリンク、インスタントメッセージが電話会議の準備と告知の様々な形態の中でも含まれているが、これらに限定される訳ではない。
【００４１】
例えば、主催者の新製品を紹介したり主催者が提供するサービスを宣伝したりするために関係者の大勢いる電話会議を主催者が予定したい場合には、主催者はウェブの同報通信を用いて関係者に向けた招待の生成を選択する。別の態様では、主催者に関連しているソーシャルネットワークの交信相手に電話会議の招待を送信することを主催者は選択する。したがって、主催者は１枚の案内状を用いて大量の関係者を電話会議に招待することができる。
【００４２】
この方法には、電話会議の招待と一緒に通知を１人以上の関係者に送信すること４０４が含まれる。この通知には、電話会議の日時、電話会議の名称、電話会議の主催者、電話会議にアクセスするための電話番号のような電話会議に関する情報が含まれている。
【００４３】
例えば会議の関係者は、当日の午後３時３０分に電話会議が開かれる旨の情報を有するＳＭＳメッセージを自分の無線装置で受信する。ＳＭＳメッセージには、３時３０分に会議開催サーバにダイヤルして電話会議にアクセスするために無線装置のオペレーティングシステムやユーザインターフェースに応じてクリックその他の方法で選択される主催者の情報や電話番号が含まれている。
【００４４】
この方法には、招待に応じて電話会議に参加する要求を関係者の少なくとも１人から受信すること４０６が含まれている。電話会議に参加する要求には、招待の指示にしたがって関係者が電話会議にダイヤルすること、例えば、電話会議への参加を呼び欠けている招待が付属している通知の中の電話番号を選択したり別の通信装置からアクセスコードと一緒に電話番号をダイヤルしたりすることが含まれている。
【００４５】
ある態様では、少なくとも１人の関係者と一緒に電話会議を確立すること４０８がこの方法には含まれている。例えば、会議開催サーバが電話会議への参加要求を関係者から受信すると、会議開催サーバは関係者を会議に案内する案内状に記載されているように主催者の会議に関係者を接続する。図６との関連で以下に詳しく説明するように会議開催サーバは要求されている会議に参加することが許されて然るべき関係者であることを保証するために関係者を認証する。
【００４６】
この方法には電話会議を登録すること４１０が任意に含まれている。会議開催サーバは懸案の電話会議を記録し、記録した電話会議を格納する。例えば、電話会議の関係者の中に電話会議に参加したり電話会議に接続したりすることが電話会議の開始後にできない者がいる場合には、そのような関係者は記録されている電話会議にアクセスして自分が参加できなかった電話会議の部分を聞くことができる。
【００４７】
ここで図５を参照する。ある態様にしたがって電話会議に参加する方法には１件以上の電話会議に参加するための招待と一緒に通知を受信することが含まれている５０２。先に述べたように４０４（図４）では電話会議の関係者は会議に参加するための招待と一緒にＳＭＳメッセージのような通知を受信する。ある態様では、関係者の発信者ＩＤが会議開催サーバで認証されてから利用可能な遠隔会議のリストが無線装置のインターフェース上で関係者に表示される。
【００４８】
例えば、関係者は同じ日に３件の電話会議に招待される。第１の電話会議は第１の主催者で午後３時３０分であり、第２の電話会議は第２の主催者で午後５時１５分である。さらに、この関係者は午後７時３０分に第３の主催者による第３の電話会議に招待されている。異なる電話会議が同じ主催者により同日の異なる時間に開かれることもあり得る。さらに関係者は、同時に開かれる異なる電話会議に招待されることもあり得る。例えば、複数の電話会議が部分的にまたは全体的に同じ日の同じ時間帯に行われることがあり得る。
【００４９】
この方法には、１件以上の電話会議の中から参加する電話会議を少なくとも１件選択すること５０４が含まれている。ある態様では関係者は、参加する電話会議を選択するために無線装置で番号を選択する。例えば、遠隔会議に参加するために関係者が電話をすると、関係者は記録されている次のようなメッセージを聞く。「遠隔会議の予定が３件入っています。次の指示にしたがって参加する会議を選択してください。主催者１が開催する午後３時３０分の会議に参加される場合にはボタン１を押してください。主催者２が開催する午後５時１５分の会議に参加される場合にはボタン２を押してください。主催者３が開催する午後７時３０分の会議に参加される場合にはボタン３を押してください。」このように主催者は、自らが開く電話会議を関係者が識別することができるように再生される主催者の名前を記録しなければならない。
【００５０】
別の態様では、記録されるメッセージには主催者の名前の代わりにまたは主催者の名前の他に主催者の電話番号が含まれている。例えば、記録されるメッセージは次のようになる。「遠隔会議の予定が３件入っています。次の指示にしたがって参加する会議を選択してください。３４７−８９７−００９８で開催される午後３時３０分の会議に参加される場合にはボタン１を押してください。５１４−６７３−９８２４で開催される午後５時１５分の会議に参加される場合にはボタン２を押してください。４１６−８７５−４４２１で開催される午後７時３０分の会議に参加される場合にはボタン３を押してください。」
別の態様では、関係者が選択して参加する１件以上の会議のメニューが無線装置のインターフェースに表示される。例えば関係者は、予定されている会議が列挙されているドロップダウンメニューから参加する会議を強調表示させる。
【００５１】
ある態様によればこの方法には、選択した電話会議への参加要求を送信すること５０６が含まれている。この要求は、参加する電話会議を関係者が５０４で選択することに応答して送信される。
【００５２】
さらに、この方法には選択した電話会議に接続すること５０８が含まれている。会議開催システムは、電話会議への参加要求の受信に応答して選択されている電話会議に関係者を接続する。例えば、第１の電話会議に参加するために関係者がボタン１を押すと、会議開催サーバは関係者をその電話会議に接続する。さらに図６を参照して以下に述べるように会議開催システムは、入ってくる発信者ＩＤ情報を用いて関係者を認証してから選択されている電話会議に関係者を接続する。
【００５３】
この方法には、１件以上の会議からもう１件の会議を選択して参加すること５１０も含まれている。１件より多い数の会議への参加が関係者に求められていて、しかもその関係者がもう１件の会議に参加することを選択した場合には、この方法は５０６に移行して関係者が選択した電話会議への参加要求を送信する。関係者は、第１の電話会議を切断したり第一の電話会議を保留にしたりして第２の電話会議に接続することにより２件以上の会議を切り替えることができる。例えば、関係者はメニューの選択肢および／または電話のキーやその他の入力機構を用いて参加する会議を選択することができる。
【００５４】
例えば、第１の主催者と第２の主催者とが同時に開いている電話会議のどちらにも参加することが求められている関係者の場合には第１の主催者が開いている会議中に第２の主催者が開いている会議に接続したいことがあり得る。このような場合に関係者はメニューの選択肢および／または電話のキーを用いて参加を希望する電話会議を選択することにより第２の主催者が開いている会議に一端切り替えてから第１の主催者が開いている会議に戻ることができる。
【００５５】
参加を希望するもう１件の会議を関係者が選択しない場合には、この方法には選択されている電話会議が終了するまで接続し続けること５１２が含まれている。ある態様では、関係者には参加が要請されている会議や別の会議が何時始まるのかなどの会議の変化に関する生の最新情報が送信される。例えば、最新情報には次のようなメッセージが含まれる。「今は会議Ａに参加しています。２分で会議Ｂに切り替えることができます。」ＳＭＳメッセージ、ソーシャルネットワークメッセージ、ＭＭＳメッセージ、インスタントメッセージ、イーメールメッセージを取り分け含むがこれらに限定されない様々な通信経路を通じてユーザは最新情報を受信することができる。したがって、どの会議に参加することができるのかに関する最新情報を関係者は殆ど実時間で取得することができる。
【００５６】
ここで図６を参照する。ある態様により発信者を電話会議に接続する方法には電話会議への接続要求を発信者から受信すること６０２が含まれている。先に述べたように４０６（図４）で会議開催サーバは、１件以上の電話会議に参加するための招待に応じた発信者からの入電を受信する。例えば、電話会議に関する招待メッセージの電話番号をクリックその他の方法で関係者が選択すると会議開催サーバに自動的にダイヤルされる。
【００５７】
ある態様では、発信者に関連付けられている識別（ＩＤ）が電話会議のための認められているＩＤであるのかどうかを判定すること６０４がこの方法に含まれている。会議開催サーバは、入ってくる発信者の識別を電話会議への参加が呼び掛けられている関係者を１人以上含んでいるデータの蓄えと比べる検証モジュールを有している。発信者の識別には、発信者の識別（例えば、発信者が発信に使用している無線装置の電話番号）、無線装置のＳＩＭカード番号、発信者の位置、生体識別（bio identification）、発信者の顔写真による顔認識、発信者の網膜認識が取り分け含まれているが、これらに限定される訳ではない。
【００５８】
例えば、当日の午後３時３０分に開かれる予定の会議の関係者を主催者は選択する。その関係者が会議開催サーバに電話をすると、会議開催サーバは入ってくる関係者の発信者ＩＤを比較し、この発信者ＩＤを午後３時３０分に開かれる会議のために主催者から供給を受けた情報と比較する。
【００５９】
発信者の識別が電話会議のための認められているＩＤである場合には発信者を電話会議に接続すること６１０がこの方法に含まれている。電話会議の関係者として主催者から提供されている情報と発信者の識別との一致が会議開催センターで生じた場合には、会議開催センターは発信者を電話会議に接続する。
【００６０】
発信者の識別が電話会議のための認められているＩＤでない場合には電話会議へのアクセスコードを発信者が有しているかどうかを判定すること６０６がこの方法には含まれている。ある態様では、発信者は電話会議の関係者として関連付けられている無線装置を使用しないで電話会議に参加をしようとしている場合が考慮されている。この場合、入ってくる発信者ＩＤは電話会議のための認められているＩＤと整合しない。関係者は、会議の招待で受け取ったパスコードを使用して電話会議にアクセスすることになる。電話会議にアクセスするためのアクセスコードが発信者により入力されているかどうかを会議開催サーバは判定する。例えば、発信者が発信している通信装置のＤＴＭＦトーンを用いて発信者はアクセスコードを入力する。
【００６１】
発信者が電話会議のアクセスコードを有している場合には電話会議に発信者を接続することがこの方法には含まれている６１０。会議開催サーバは、アクセスコードが電話会議にアクセスするための正しいパスコードであるかどうかを判定してアクセスコードが正しければ発信者を電話会議に接続する。
【００６２】
しかし、発信者が電話会議の正しいアクセスコードを有していない場合には、電話会議への接続要求を拒否する通知を発信者に送信すること６０８がこの方法には含まれている。この通知には、発信者を電話会議に接続することができない理由の説明と電話会議に接続するための１種類以上の選択肢とを情報として発信者に提供することが含まれている。例えば、電話会議に参加するために入力したアクセスコードが間違っていることがこの通知により発信者に通知される。さらに、発信者識別が電話会議に認識されている識別ではないことを発信者に通知することがこの通知に含まれている。
【００６３】
ここで図７を参照する。ある態様では、１人以上の関係者を電話会議に直ぐに参加させる方法には直近の電話会議に１人以上の関係者に電話をすること７０２が含まれている。ある態様では主催者は、電話会議に参加する１人以上の関係者に電話をして電話会議を直ちに開くことを決定する。例えば電話会議の主催者は、電話会議の関係者を電話により招待する選択肢を会議の設定中に選ぶ。会議開催サーバは、特定の関係者を電話会議に招く手段として電話を選択する要求を主催者から受信する。会議開催サーバは、電話会議のために選択された個々の関係者に電話を掛けることを開始する。
【００６４】
例えば会議開催サーバは、メッセージのヘッダにある特定の交信相手に電話を掛けることを要請するメッセージをセッション開始プロトコル（ＳＩＰ：Session Initiation Protocol）サーバまたはデータベースに送信する。すると、ＳＩＰサーバまたはデータベースは電話会議に招待されている特定の客である関係者に電話をする。別の態様では、主催者が懸案の電話会議に個人を追加したい場合が考慮されている。例えば、主催者は電話で個人を招待することを選択して会議開催サーバが選択された招待客に電話をする。
【００６５】
ある態様では、この方法には１人以上の関係者が電話に答えているかどうかを判定すること７０４が含まれている。ある態様では、会議開催サーバは関係者が電話に出ていないことを検出する。例えば、会議開催サーバは関係者のボイスメールが作動していることを検出する。その他にまたはその代わりに、会議開催サーバは電話のベルを所定数だけ鳴らして関係者が電話に出たかどうかを判定する。例えば、関係者の電話のベルが６回鳴ると関係者は電話に応答しないと会議開催サーバは判定する。
【００６６】
１人以上の関係者が電話に応答すると、１人以上の関係者を電話会議に直ぐに接続することがこの方法には含まれている７１０。例えば、関係者が電話に出ると、関係者はそのまま電話会議に参加することになる。別の態様では、関係者は電話に出ると電話会議に直ちに参加することになる旨のメッセージを受信する。例えば、関係者は「［主催者名］が開始した電話会議に接続されています。」のようなメッセージを聞く。したがって、関係者は自分で会議に接続したり、会議開催サーバに電話を掛けたり、会議アクセス用パスコードを入力したりすることもなく会議に参加することかできる。
【００６７】
１人以上の関係者が電話に出ない場合には、懸案の電話会議への招待と一緒に通知を１人以上の関係者に送信すること７０６がこの方法には含まれている。関係者が電話に出ないことを検出すると会議開催サーバは電話を切って、懸案の電話会議に関する招待と一緒に通知を電話に出ない１人以上の関係者に送信する。この通知は、４０４で先に述べた通知に類似している（図４）。例えば、電話会議の関係者３人が電話に出て電話会議に直ちに追加される一方で電話に出ない電話会議の関係者２人は懸案の遠隔会議への参加が要請されていることを遠隔会議に関係者を繋ぐ番号と一緒に示すＳＭＳメッセージを受信する。
【００６８】
進行中の電話会議への参加要求を電話に出なかった１人以上の関係者から受信すること７０８がこの方法には随意に含まれている。ある態様では、１人以上の関係者を電話会議に直ちに参加させること７１０がこの方法に含まれている。会議開催サーバは、先に４０６（図４）で述べた要求に類似している電話会議への参加要求を受信する。例えば、関係者は通知で受けた電話番号をクリックその他の方法で選択すると懸案の電話会議に直ちに参加することができる。ある態様では、例えば、図６で述べたように会議開催サーバは関係者を懸案の電話会議に接続する前に関係者を認証する。
【００６９】
したがって、会議の主催者は電話会議を開く日時を決めるなどの準備をすることもなく即座に会議を開くことのできる融通性を有している。会議開催サーバは電話会議を直ちに開く旨の要請を主催者から受けると電話会議のために１人以上の招待客に電話を掛ける。さらに、会議開催サーバは１人以上の招待客一人一人の通話を開始するので、１人以上の招待客の通信装置の機能に基づいて多数の通信形式が電話会議中に用いられる。例えば、会議開催サーバは１人の招待客に陸線電話で通話し、別の招待客には無線装置で通話する。さらに会議開催システムは、計算装置のＶｏＩＰアプリケーションで別の招待客と通話する。このように招待客は、電話会議への接続方法に関しては制約を受けることがなく、電話会議に接続するための接続手段の選択に関しては融通性を有している。
【００７０】
ここで図８を参照する。ある態様による接続システム内で作動する無線装置１０２の例である。ある態様では無線装置１０２は、１個以上のコンポーネントに関連した処理機能やここに記載する機能を実行するためのプロセッサ８０を有している。プロセッサ８０には、プロセッサまたはマルチコアプロセッサの単一または多重のセットが含まれる。さらにプロセッサ８０は、統合処理システムおよび分散処理システムの両者または一方として実現することができる。
【００７１】
無線装置１０２は、例えば、プロセッサ８０が実行しているローカル版のアプリケーションを格納するためなどにメモリ８２をさらに有している。メモリ８２には、コンピュータが使用することのできる種類のメモリ、例えば、ランダムアクセスメモリ（ＲＡＭ）、リードオンリーメモリ（ＲＯＭ）、テープ、磁気ディスク、光ディスク、揮発性メモリ、不揮発性メモリ、これらの任意の組み合わせが含まれる。
【００７２】
さらに無線装置１０２には、ここに記載したハードウェア、ソフトウェア、サービスを利用して１人以上の関係者と通信を確立して維持する通信コンポーネント８４が含まれている。通信コンポーネント８４は、無線装置１０２のコンポーネント相互間ならびに無線装置１０２と外部装置、例えば、通信ネットワークを介して位置している装置や無線装置１０２に直列にまたは局地的に接続されている装置との間の通信を実行する。例えば、通信コンポーネント８４は、１本以上のバスを有していて、外部装置にインターフェースで接続されて作動する送信機や受信機にそれぞれ関連している送信チェーンコンポーネントや受信チェーンコンポーネントを有している。
【００７３】
その上に無線装置１０２はデータ記憶装置８６をさらに有している。このデータ記憶装置は、ハードウェアおよびソフトウェアの両者または一方の任意の適切な組み合わせで構わず、ここに記載した諸態様との関連で採用されている情報やデータベースやプログラムを大規模に保管する。例えば、データ記憶装置８６はプロセッサ８０が今のところ実行していないアプリケーションのためのデータ貯蔵所である。
【００７４】
無線装置１０２は、無線装置１０２のユーザからの入力を受信したり当該ユーザに提示する出力を発生したりするように作動するユーザインターフェースコンポーネント８８を随意に有していても構わない。ユーザインターフェースコンポーネント８８は入力装置を１台以上有していても構わない。この入力装置には、キーボード、数字パッド、マウス、タッチセンシティブディスプレイ、ナビゲーションキー、ファンクションキー、マイクロフォン、音声認識コンポーネント、ユーザからの入力を受けることのできるその他の任意の機構、これらの任意の組合せが含まれるが、これらに限定される訳ではない。さらに、ユーザインターフェースコンポーネント８８は出力装置を１台以上有していても構わない。この出力装置には、表示装置、スピーカ、触覚フィードバック機構、プリンタ、ユーザに出力を提示することのできるその他の任意の機構、これらの任意の組み合わせが含まれるが、これらに限定される訳ではない。
【００７５】
無線装置１０２は、１人以上の関係者で電話会議を確立するために電話会議登録要求を送信するように作動する会議セットアップ管理プログラムコンポーネント１０をさらに有していても構わない。
【００７６】
ここで図９を参照する。さらに別の態様による接続システム内で作動するサーバ装置１０６が例示されている。サーバ１０６はアクセスネットワーク１０４のためにネットワーク接続関連事項を管理する。サーバ１０６は、１台以上のコンポーネントに関連した処理機能やここに記載する諸機能を実施するプロセッサコンポーネント７０を有している。プロセッサコンポーネント７０は、プロセッサまたはマルチコアプロセッサの単一または多重のセットを有していても構わない。さらに、プロセッサコンポーネント７０は、統合処理システムおよび分散処理システムの両者または一方として実現することができる。
【００７７】
サーバ１０６は、例えば、プロセッサコンポーネント７０が実行しているローカル版のアプリケーションを格納するためなどにメモリ７２をさらに有している。メモリ７２には、ランダムアクセスメモリ（ＲＡＭ）、リードオンリーメモリ（ＲＯＭ）、これらの組み合わせが含まれる。
【００７８】
さらにサーバ１０６は、ここに記載されているハードウェア、ソフトウェア、サービスを用いて１人以上の関係者との通信を確立して維持する通信コンポーネント３４を有している。通信コンポーネント３４は、サーバ１０６のコンポーネント相互間ならびにサーバ１０６と外部装置、例えば、ネットワークを介して位置している装置やサーバ１０６に直列にまたは局地的に接続されている装置との間の通信を行う。
【００７９】
その上にサーバ１０６はデータ記憶装置７６をさらに有している。このデータ記憶装置は、ハードウェアおよびソフトウェアの両者または一方の任意の適切な組み合わせで構わず、ここに記載した諸態様との関連で採用されている情報やデータベースやプログラムを大規模に保管する。例えば、データ記憶装置７６はプロセッサ８０が今のところ実行していないアプリケーションのためのデータ貯蔵所である。サーバ１０６は、要求されている１件以上の会議に関する情報を受信したり会議の関係者と一緒に会議を確立したりするように作動する会議管理プログラム２２を随意に有していても構わない。
【００８０】
ここで図１０を参照する。ある態様による電話会議を確立するシステム１０００が例示されている。例えば、システム１０００は少なくとも一部分が送信機、移動装置、その他に設けられていても構わない。システム１０００は、プロセッサ、ソフトウェア、これらの組み合わせ（例えば、ファームウェア）のいずれかにより実現される機能を表す機能ブロックであり得る機能ブロックを有するものとして表示されている。システム１０００は、電話会議の確立を促進させる電気コンポーネントの論理グループ１００２を有している。例えば論理グループ１００２には、電話会議および１人以上の関係者に関する登録要求を受信するコンポーネント１００４が含まれている。さらに、論理グループ１００２には、電話会議に参加するための電話会議情報から成る招待と一緒に通知を１人以上の関係者に送信するコンポーネント１００６が含まれている。さらに論理グループ１００２には、招待の電話会議情報を選択することによる電話会議への参加要求を少なくとも１人の関係者から受信するコンポーネント１００８が含まれている。論理グループ１００２には、少なくとも１人の関係者と一緒に電話会議を確立するためのコンポーネント１０１０も含まれている。その上にシステム１０００は、電気コンポーネント１００４、１００６、１００８、１０１０に関連している諸機能を実行するための命令を保持するメモリ１０１２を有していても構わない。電気コンポーネント１００４、１００６、１００８、１０１０は、いずれもメモリ１０１２の外部に示されているが、メモリ１０１２の内部に設けられていても構わない。
【００８１】
ここで図１１を参照する。電話会議に参加するように構成されているシステム１１００が例示されている。例えば、システム１１００は少なくとも一部分が送信機、移動装置、その他に設けられていても構わない。システム１１００は、プロセッサ、ソフトウェア、これらの組み合わせ（例えば、ファームウェア）のいずれかにより実現される機能を表す機能ブロックであり得る機能ブロックを有しているものとして表示されている。システム１１００は、電話会議の確立を促進させる電気コンポーネントの論理グループ１１０２を有している。例えば、論理グループ１１０２には、１件以上の電話会議に参加するための招待を受信するコンポーネント１１０４が含まれている。さらに、論理グループ１１０２には、参加する最初の電話会議を選択するコンポーネント１１０６が含まれている。さらに、論理グループ１１０２には、無線装置に関連している識別に基づいて最初の電話会議に直ぐに接続するコンポーネント１１０８が含まれている。また、システム１１００は、電気コンポーネント１１０４、１１０６、１１０８に関連している諸機能を実行するための命令を保持するメモリ１１１０を有している。電気コンポーネント１１０４、１１０６、１１０８は、いずれもメモリ１１１０の外部に示されているが、メモリ１１１０の内部に設けられていても構わない。
【００８２】
この出願に用いられている用語「コンポーネント」、「モジュール」、「システム」、その他は、ハードウェア、ファームウェア、ハードウェアとソフトウェアとの組み合わせ、ソフトウェア、実行中のソフトウェアに限定される訳ではないが、これらのいずれかのようなコンピュータに関連した実体を含むことが意図されている。例えばコンポーネントは、プロセッサが実行しているプロセス、プロセッサ、オブジェクト、実行ファイル、スレッド、実行スレッド（a thread of execution）、プログラム、コンピュータの全てまたはいずれかで構わないが、これらに限定される訳ではない。実例として、計算装置が実行しているアプリケーションと計算装置そのものはどちらもコンポーネントである。１個以上のコンポーネントが実行中のプロセスやスレッドに常駐していても構わないし、コンポーネントが１台のコンピュータに局在していても良いし、２台以上のコンピュータに分散していても良い。さらに、様々なデータ構造が格納されている様々なコンピュータ可読媒体からこれらのコンポーネントを実行することができる。コンポーネントは、ローカルシステム、すなわち、分散システムにおけるもう一方のコンポーネントと、および／またはインターネットのようなネットワークを横切って他方のコンポーネントと相互作用する一方のコンポーネントからのデータのような１つ以上のデータパケットを有する信号に従うようにローカルおよび遠隔プロセスによって前記信号によって他のシステムと通信することができる。
【００８３】
さらに様々な態様が、有線端末または無線端末のいずれでも構わない端末との関連でここに記載されている。端末は、システム、装置、加入者ユニット、加入者局、移動局、モバイル、移動装置、遠隔局、遠隔端末、アクセス端末、ユーザ端末、端末、通信装置、ユーザエージェント、ユーザ装置、ユーザ機器（ＵＥ）のいずれかと呼ばれることがある。無線端末は、小型携帯移動電話機、サテライトフォン、コードレスフォン、セッション開始プロトコル（ＳＩＰ）フォン、無線ローカルループ（ＷＬＬ：wireless local loop）局、パーソナルデジタルアシスタント（ＰＤＡ：personal digital assistant）、無線接続機能のある携帯装置、計算装置、無線モデムに接続されているその他の処理装置のいずれでも良い。さらに、基地局との関連で様々な形態がここに記載されている。基地局は、無線端末との通信に使用することができ、アクセスポイント、ノードＢ、その他の用語で言及される。
【００８４】
さらに、用語「あるいは（or）」は排他的な「あるいは」ではなくてむしろ非排他的な「あるいは」を意味することが意図されている。すなわち、特に指定する場合や文脈から明らかな場合を除いて表現「ＸはＡあるいはＢを採用する」はどのような自然な包括的並べ替えをも意味することが意図されている。すなわち、表現「ＸはＡあるいはＢを採用する」は次に示すどの例によっても満たされる。ＸはＡを採用する。ＸはＢを採用する。ＸはＡおよびＢの両者を採用する。さらに、この出願および添付の特許請求の範囲に用いられている冠詞「ａ」および「ａｎ」は、特に指定する場合や文脈から明らかな場合を除いて「１個以上」を意味するものと一般に解釈されなければならない。
【００８５】
ここに記載した技術は、ＣＤＭＡ、ＴＤＭＡ、ＦＤＭＡ、ＯＦＤＭＡ、ＳＣ−ＦＤＭＡ、その他のシステムのような様々な無線通信システムに採用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ｃｄｍａ２０００、その他のような無線技術を実現することができる。ＵＴＲＡには、広帯域符号分割多元接続（Ｗ−ＣＤＭＡ：Wideband Code Division Multiple Access）やＣＤＭＡの他の種々様々な変種が含まれる。さらに、ｃｄｍａ２０００はＩＳ−２０００、ＩＳ−９５、ＩＳ−８５６の各規格を包含している。ＴＤＭＡシステムは、移動体通信のためのグローバルシステム（ＧＳＭ（登録商標）：Global System for Mobile Communications）のような無線技術を実現することができる。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実現することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）は、ＯＦＤＭＡをダウンリンクにＳＣ−ＦＤＭＡをアップリンクにそれぞれ採用しているＥ−ＵＴＲＡを用いたＵＭＴＳの公開である。ＵＴＲＡ、Ｅ−ＵＴＲＡ、ＵＭＴＳ、ＬＴＥ、ＧＳＭは、「第３世代パートナーシッププロジェクト（3rd Generation Partnership Project）」（３ＧＰＰ）と言う名称の組織が公開している文書に記載されている。また、ｃｄｍａ２０００およびＵＭＢは、「第３世代パートナーシッププロジェクト２（3rd Generation Partnership Project 2）」（３ＧＰＰ２）と言う名称の組織が公開している文書に記載されている。さらに、そのような無線通信システムには、対を成していない無許可のスペクトルをしばしば用いているその場凌ぎのネットワークシステムであるピアツーピア（例えば、モバイル対モバイル）が付加的に含まれる。
【００８６】
装置、コンポーネント、モジュール、その他を幾つか含むシステムの観点から様々な態様や特徴が提示されている。様々なシステムは、装置、コンポーネント、モジュール、その他をさらに付加的に備えていても構わないことや図面との関連で説明した装置やコンポーネントやモジュール、その他を全て備えていなければならない訳でもないことを認識し理解すること。これらのシステムを組み合わせて用いても良い。
【００８７】
ここに開示した実施態様に関連して記載した論理ブロック、モジュール、回路の様々な例は、ここに記載した諸機能を実行するようにいずれも設計されている、汎用プロセッサ、デジタルシグナルプロセッサ（ＤＳＰ：digital signal processor）、特定用途向け集積回路（ＡＳＩＣ：application specific integrated circuit）、書替え可能ゲートアレイ（ＦＰＧＡ：field programmable gate array）または他の書替え可能論理装置、離散的ゲートまたはトランジスタ論理、離散的ハードウェアコンポーネント、または、それらの任意の組み合わせで実現したり実施したりすることができる。汎用プロセッサはマイクロプロセッサで構わないが、その他にも任意の一般的なプロセッサ、コントローラ、マイクロコントローラ、状態装置のいずれでも構わない。プロセッサは、演算装置の組み合わせとして実現することもできる。例えば、ＤＳＰとマイクロプロセッサとの組み合わせ、複数個のマイクロプロセッサ、ＤＳＰコアと組み合わせた１個以上のマイクロプロセッサ、任意の他のそのような構成として実現することができる。また、少なくとも１個のプロセッサが上に述べた工程や動作を一種類以上実行するように作動する１個以上のモジュールから成っていても構わない。
【００８８】
様々な態様との関連で記載されている方法あるいはアルゴリズムの諸工程や諸動作はハードウェアとして、あるいはプロセッサが実行するソフトウェアモジュールとして、あるいは両者の組み合わせとして実現することができる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、この技術分野で公知である記憶媒体のその他の任意な形態に常駐させることができる。代表的な記憶媒体は、プロセッサが当該記憶媒体から情報を読み取ったり、当該記憶媒体に情報を書き込んだりすることができるようにプロセッサに接続されている。あるいは、記憶媒体はプロセッサと一体であっても構わない。さらに、幾つかの態様では、プロセッサと記憶媒体はＡＳＩＣに実装されている。そして、このようなＡＳＩＣがユーザ端末に実装されている。あるいは、プロセッサと記憶媒体とが離散的コンポーネントとしてユーザ端末に設けられていても構わない。さらに、幾つかの態様では、方法やアルゴリズムの諸工程や諸動作がコードおよび命令の両者または一方を備える１つまたは任意の組み合わせあるいは１つまたは任意の一式として機械が読み取ることのできる媒体やコンピュータが読み取ることのできる媒体に格納されていて、これがコンピュータプログラム製品に組み込まれる。
【００８９】
１種類以上の態様として記載した機能はハードウェア、ソフトウェア、ファームウェア、それらの任意の組み合わせとして実現することができる。ソフトウェアとして実現した場合には、コンピュータ可読媒体上の１種類以上の命令やコードとして諸機能は記憶されたり転送されたりする。コンピュータ可読媒体にはコンピュータ記憶媒体が含まれるだけでなく、コンピュータプログラムを一方の場所から他方の場所へ転送することを容易にする任意の媒体を含む通信媒体も含まれる。記憶媒体は、コンピュータがアクセスすることのできる任意の利用可能な媒体で構わない。限定ではなく例として、そのようなコンピュータ可読媒体は、ＲＡＭ、ＲＯＭ、ＥＥＰＲＯＭ、ＣＤ−ＲＯＭやその他の光学ディスク記憶装置、磁気ディスク記憶装置や他の磁気記憶装置、所望のプログラムコードを命令やデータ構造の形式で保持したり格納したりするために用いることができてコンピュータによりアクセスすることのできる任意の他の媒体を含むことがあり得る。また、どの接続もコンピュータ可読媒体と言うことができる。例えば、同軸ケーブルあるいは光ファイバーケーブルあるいは撚線対あるいはデジタル加入者回線（ＤＳＬ）あるいは赤外線、無線、マイクロ波のような無線技術を用いてウェブサイト、サーバ、他の遠隔リソースからソフトウェアが送信される場合には、同軸ケーブルあるいは光ファイバーケーブルあるいは撚線対あるいはデジタル加入者回線（ＤＳＬ）あるいは赤外線、無線、マイクロ波のような無線技術が媒体の定義に含まれる。ここで使用しているディスクには綴りが「disk」と「disc」の２種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【００９０】
以上の開示には諸態様および諸実施の両者または一方が例示的に説明されているが、説明した諸態様および諸実施の両者または一方に関して添付の特許請求の範囲に定義されている範囲から逸脱することもなく様々な変更や修正を施すことができることに注意すること。さらに、説明した諸態様および諸実施の両者または一方の諸要素は単数形で記載されていたり請求されていたりするが、単数に特定する旨が明示的に述べられていない限り複数が予期されている。さらに、特に断らない限り任意の態様および実施の両者または一方の全てまたは一部が別の任意の態様および実施の両者または一方の全てまたは一部と一緒に用いられることもあり得る。
【図１】
2013518531.tif 000003
【図２】
2013518531.tif 000004
【図３】
2013518531.tif 000005
【図４】
2013518531.tif 000006
【図５】
2013518531.tif 000007
【図６】
2013518531.tif 000008
【図７】
2013518531.tif 000009
【図８】
2013518531.tif 000010
【図９】
2013518531.tif 000011
【図１０】
2013518531.tif 000012
【図１１】
2013518531.tif 000013
【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
電話会議を確立する方法であって、
前記電話会議および１人以上の関係者に関する登録要求をサーバで受信すること、
直近の電話会議のために前記１人以上の関係者に電話をすること、
前記１人以上の関係者が前記電話に応答したかどうかを判定すること、
前記懸案の電話会議に参加するための招待と一緒に通知を前記電話に応答していない前記１人以上の関係者に送信すること、
前記招待の中の前記電話会議情報を選択することによる前記懸案の電話会議への参加要求を前記電話に応答していない前記１人以上の関係者から受信すること、
前記懸案の電話会議に参加するための前記要求を受信すると前記電話に応答していない前記１人以上の関係者を前記懸案の電話会議に直ぐに参加させること
を具備する方法。
【請求項２】
前記登録要求が、前記１人以上の関係者を前記電話会議に招待する通信経路をさらに具備する請求項１記載の方法。
【請求項３】
前記通信経路がＳＭＳメッセージ、ＭＭＳメッセージ、電話、イーメールメッセージ、インスタントメッセージ、ウェブの同報通信、またはソーシャルネットワークメッセージの一つを具備する請求項２記載の方法。
【請求項４】
前記１人以上の関係者が、前記電話会議の主催者に関連付けられている交信相手のリストから選択される請求項１記載の方法。
【請求項５】
前記通知が、ＳＭＳメッセージ、ＭＭＳメッセージ、電話、イーメールメッセージ、インスタントメッセージ、ウェブの同報通信、またはソーシャルネットワークメッセージの一つを具備する請求項１記載の方法。
【請求項６】
前記通知が、前記１人以上の関係者に関連付けられている通信装置に基づいて前記１人以上の関係者毎に調整される請求項５記載の方法。
【請求項７】
前記電話会議情報が電話会議の名称、電話会議のアドレス、電話会議の識別、電話会議の時間、または電話会議にアクセスするためのパスコードの一つを具備する請求項１記載の方法。
【請求項８】
前記電話会議の前記アドレスが前記サーバの宛先アドレスである請求項１記載の方法。
【請求項９】
前記サーバの前記宛先アドレスへのリンクを選択することをさらに具備する請求項８記載の方法。
【請求項１０】
前記電話に応答していない前記１人以上の関係者から前記電話会議への参加要求を受信すると前記１人以上の関係者を認証すること、および
前記電話会議のために認証された前記少なくとも１人の関係者と一緒に前記電話会議を確立すること
をさらに具備する請求項１記載の方法。
【請求項１１】
前記少なくとも１人の関係者を認証することは、
前記少なくとも１人の関係者に関連付けられている識別が前記電話会議のための認められている識別であるのかどうかを判定すること、および
前記識別が前記電話会議のための前記認められている識別である場合には前記少なくとも１人の関係者を前記電話会議に接続すること
をさらに具備する請求項１０記載の方法。
【請求項１２】
前記少なくとも１人の関係者に関連付けられている前記識別には通信装置の電話番号、無線装置のＳＩＭ番号、位置、または生体識別情報の一つを具備する請求項１１記載の方法。
【請求項１３】
前記認められている識別には通信装置の電話番号、無線装置のＳＩＭ番号、位置、または生体識別情報の一つを具備する請求項１１記載の方法。
【請求項１４】
前記判定することは、
前記少なくとも１人の関係者に関連付けられている前記識別を前記会議のための１件以上の認められている識別と比較すること、
前記少なくとも１人の関係者に関連付けられている前記識別が前記会議のための少なくとも１件の前記認められている識別と整合している場合には前記識別が前記会議のための認められている識別であることを表示すること、および
前記少なくとも１人の関係者に関連付けられている前記識別が前記会議のための少なくとも１件の前記認められている識別と整合していない場合には前記識別が前記会議のための認められている識別ではないことを表示すること
を具備する請求項１１記載の方法。
【請求項１５】
前記少なくとも１人の関係者が前記電話会議にアクセスするためのアクセスコードを有しているかどうかを判定すること、および
前記少なくとも１人の関係者が前記電話会議にアクセスするための前記アクセスコードを有している場合には前記少なくとも１人の関係者を前記電話会議に接続すること
をさらに具備する請求項１１記載の方法。
【請求項１６】
確立された電話会議を記録すること、
前記記録された電話会議を記憶すること
をさらに具備する請求項１記載の方法。
【請求項１７】
前記１人以上の関係者が前記電話会議に直ぐに参加することになることを示すメッセージを流すことをさらに具備する請求項１記載の方法。
【請求項１８】
前記電話に応答した前記１人以上の関係者を前記電話会議に直ぐに参加させることをさらに具備する請求項１記載の方法。
【請求項１９】
電話会議を確立するように構成されている少なくとも１台のプロセッサであって、
前記電話会議および１人以上の関係者に関する登録要求を受信する第１モジュールと、
直近の電話会議のために前記１人以上の関係者に電話をする第２モジュールと、
前記１人以上の関係者が前記電話に応答したかどうかを判定する第３モジュールと、
前記電話会議に参加するための招待と一緒に通知を前記電話に応答していない前記一人以上の関係者に送信する第４モジュールと、
前記招待の中の前記電話会議情報を選択することによる前記懸案の電話会議への参加要求を前記電話に応答していない前記１人以上の関係者から受信する第５モジュールと、
前記懸案の電話会議に参加するための前記要求を受信すると前記電話に応答していない前記一人以上の関係者を前記懸案の電話会議に直ぐに参加させる第６モジュールと
を具備するプロセッサ。
【請求項２０】
前記電話に応答した前記一人以上の関係者を前記電話会議に直ぐに参加させるさらなるモジュールを有している請求項１９記載のプロセッサ。
【請求項２１】
電話会議および１人以上の関係者に関する登録要求を受信することをコンピュータに行わせる少なくとも一つの命令、
直近の電話会議のために前記１人以上の関係者に電話をすることを前記コンピュータに行わせる少なくとも一つの命令、
前記１人以上の関係者が前記電話に応答したかどうかを判定することを前記コンピュータに行わせる少なくとも一つの命令、
前記懸案の電話会議に参加するための招待と一緒に通知を前記電話に応答していない前記１人以上の関係者に送信することを前記コンピュータに行わせる少なくとも一つの命令、
前記招待の中の前記電話会議情報を選択することによる前記電話会議への参加要求を前記電話に応答していない前記１人以上の関係者から受信することを前記コンピュータに行わせる少なくとも一つの命令、および
前記懸案の電話会議に参加するための前記要求を受信すると前記電話に応答していない前記１人以上の関係者を前記懸案の電話会議に直ぐに参加させることを前記コンピュータに行わせる少なくとも一つの命令
を具備するコンピュータ可読媒体を具備するコンピュータプログラム製品。
【請求項２２】
前記電話に応答した前記１人以上の関係者を前記電話会議に直ぐに参加させることを前記コンピュータに行わせる少なくとも一つの命令をさらに有している請求項２１記載のコンピュータプログラム製品。
【請求項２３】
電話会議および一人以上の関係者に関する登録要求を受信する手段、
直近の電話会議のために前記１人以上の関係者に電話をする手段、
前記１人以上の関係者が前記電話に応答したかどうかを判定する手段、
前記電話会議に参加するための招待と一緒に通知を前記電話に応答していない前記１人以上の関係者に送信する手段、
前記招待の中の前記電話会議情報を選択することによる前記電話会議への参加要求を前記電話に応答していない前記１人以上の関係者から受信する手段、および
前記懸案の電話会議に参加するための前記要求を受信すると前記電話に応答していない前記１人以上の関係者を前記懸案の電話会議に直ぐに参加させる手段と
を具備する装置。
【請求項２４】
前記電話に応答した前記１人以上の関係者を前記電話会議に直ぐに参加させる手段をさらに具備する請求項２３記載の装置。
【請求項２５】
電話会議を確立する装置であって、
前記電話会議および一人以上の関係者に関する登録要求を受信するように作動する会議管理プログラム、
直近の電話会議のために前記１人以上の関係者に電話をするように作動する通知コンポーネント、
前記１人以上の関係者が前記電話に応答したかどうかを判定して前記電話に応答した前記１人以上の関係者を前記電話会議に直ぐに参加させるように作動する通信コンポーネント、
前記電話会議に参加するための招待と一緒に通知を前記電話に応答していない前記１人以上の関係者に送信するようにさらに作動する前記の通知コンポーネント、および
前記招待の中の前記電話会議情報を選択することによる前記電話会議への参加要求を前記電話に応答していない前記１人以上の関係者から受信するようにさらに作動して、前記懸案の電話会議に参加するための前記要求を受信すると前記電話に応答していない前記１人以上の関係者を前記懸案の電話会議に直ぐに参加させる前記の会議管理プログラム
を具備する装置。
【請求項２６】
前記電話に応答した前記少なくとも１人の関係者を前記電話会議に直ぐに参加させるようにさらに作動する前記通信コンポーネント。
【請求項２７】
前記登録要求が、前記１人以上の関係者を前記電話会議に招待する通信経路をさらに具備する請求項２５記載の装置。
【請求項２８】
前記通信経路がＳＭＳメッセージ、ＭＭＳメッセージ、電話、イーメールメッセージ、インスタントメッセージ、ウェブの同報通信、またはソーシャルネットワークメッセージの一つを具備する請求項２７記載の装置。
【請求項２９】
前記１人以上の関係者が、前記電話会議の主催者に関連付けられている交信相手のリストから選択される請求項２５記載の装置。
【請求項３０】
前記通知が、ＳＭＳメッセージ、ＭＭＳメッセージ、電話、イーメールメッセージ、インスタントメッセージ、ウェブの同報通信、またはソーシャルネットワークメッセージの一つを具備する請求項２１記載の前記装置。
【請求項３１】
前記通知コンポーネントが、前記１人以上の関係者に関連付けられている通信装置に基づいて前記１人以上の関係者毎に前記通知を調整するようにさらに作動する請求項３０記載の装置。
【請求項３２】
前記電話会議情報が電話会議の名称、電話会議のアドレス、電話会議の識別、電話会議の時間、または電話会議にアクセスするためのパスコードの一つを具備する請求項２５記載の装置。
【請求項３３】
前記電話会議の前記アドレスがサーバの宛先アドレスである請求項２５記載の装置。
【請求項３４】
前記電話会議情報を選択することには前記サーバの前記宛先アドレスへのリンクを選択することをさらに具備する請求項２８記載の装置。
【請求項３５】
前記電話会議に参加するための要求を前記電話に応答していない前記１人以上の関係者から受信すると前記電話会議のために前記１人以上の関係者を認証するように作動する検証コンポーネント、および
前記電話会議のために認証された前記少なくとも一人の関係者と一緒に前記電話会議を確立するように作動する前記の通信コンポーネント
をさらに具備する請求項３３記載の装置。
【請求項３６】
前記通信コンポーネントがさらに前記少なくとも一人の関係者に関連付けられている識別が前記電話会議のための認められている識別であるのかどうかを判定するように作動し、
前記通信コンポーネントがさらに前記識別が前記電話会議のための前記認められている識別である場合には前記少なくとも一人の関係者を前記電話会議に接続する
ように作動する請求項３５記載の装置。
【請求項３７】
前記少なくとも一人の関係者に関連付けられている前記識別には通信装置の電話番号、無線装置のＳＩＭ番号、位置、または生体識別情報の一つを具備する請求項３６記載の装置。
【請求項３８】
前記認められている識別には通信装置の電話番号、無線装置のＳＩＭ番号、位置、または生体識別情報の一つを具備する請求項３６記載の装置。
【請求項３９】
前記検証コンポーネントが、さらに、
前記少なくとも１人の関係者に関連付けられている前記識別を前記会議のための１件以上の認められている識別と比較し、
前記少なくとも１人の関係者に関連付けられている前記識別が前記会議のための少なくとも１件の前記認められている識別と整合している場合には前記識別が前記会議のための認められている識別であることを表示し、
前記少なくとも１人の関係者に関連付けられている前記識別が前記会議のための少なくとも１件の前記認められている識別と整合していない場合には前記識別が前記会議のための認められている識別ではないことを表示する
ように作動する請求項３６記載の装置。
【請求項４０】
前記検証コンポーネントが、さらに、前記少なくとも１人の関係者が前記電話会議にアクセスするためのアクセスコードを有しているかどうかを判定するように作動し、
前記通信コンポーネントが、さらに、前記少なくとも１人の関係者が前記電話会議にアクセスするための前記アクセスコードを有している場合には前記少なくとも１人の関係者を前記電話会議に接続するように作動する、請求項３６記載の装置。
【請求項４１】
前記確立された電話会議を記録し、前記記録された電話会議を記憶する記録コンポーネントをさらに具備する請求項２５記載の装置。
【請求項４２】
前記１人以上の関係者が前記電話会議に直ぐに参加することになることを示すメッセージを流すように前記通信コンポーネントがさらに作動する請求項２５記載の装置。
【請求項４３】
電話会議に参加する方法であって、
直近の第１の電話会議に関する電話を無線装置で受信することと、
前記無線装置が前記電話に応答すると前記無線装置を前記第１の電話会議に直ぐに接続することと
を具備する方法。
【請求項４４】
参加する第２の電話会議を選択することがさらに含まれている請求項４３記載の方法。
【請求項４５】
前記第２の電話会議を選択することには、メニューの選択肢か電話のキーの一方を用いて前記第２の電話会議を選択することを具備する請求項４４の方法。
【請求項４６】
前記第２の電話会議に切り替えることをさらに具備する請求項４４の方法。
【請求項４７】
前記第２の電話会議に切り替えることには前記第一の電話会議から切断することがさらに含まれている請求項４６記載の方法。
【請求項４８】
前記第１の電話会議および前記第２の電話会議が同時に保留中である請求項４４記載の方法。
【請求項４９】
電話会議に参加するための少なくとも１台のプロセッサであって、
直近の第１の電話会議に関する電話を受信する第１モジュール、および
前記電話に応答すると前記第１の電話会議に直ぐに接続する第２モジュール
を具備するプロセッサ。
【請求項５０】
直近の第１の電話会議に関する電話を受信することをコンピュータに行わせる少なくとも一つの命令、および
前記電話に応答すると前記第１の電話会議に直ぐに接続することを前記コンピュータに行わせる少なくとも一つの命令
を具備するコンピュータ可読媒体を具備するコンピュータプログラム製品。
【請求項５１】
直近の第１の電話会議に関する電話を受信する手段、および
前記電話に応答すると前記第１の電話会議に直ぐに接続する手段
を具備する装置。
【請求項５２】
電話会議に参加するための装置であって、
直近の第１の電話会議に関する電話を受信するように作動するコンポーネント、および
前記電話に応答すると前記第１の電話会議に直ぐに接続するように作動する通信コンポーネント
を具備する装置。
【請求項５３】
参加する第２の電話会議を選択するように前記コンポーネントがさらに作動する請求項５２記載の装置。
【請求項５４】
前記第２の電話会議を選択することには、メニューの選択肢か電話のキーの一方を用いて前記第２の電話会議を選択することを具備する請求項５２記載の装置。
【請求項５５】
前記通信コンポーネントが前記第２の電話会議に切り替えるようにさらに作動する請求項５３記載の装置。
【請求項５６】
前記第１の電話会議に切り替えることには前記第１の電話会議から切断することをさらに具備する請求項５４記載の装置。
【請求項５７】
前記第１の電話会議および前記第２の電話会議が同時に保留中である請求項５３記載の装置。
【手続補正２】
【補正対象書類名】明細書
【補正対象項目名】００９０
【補正方法】変更
【補正の内容】
【００９０】
以上の開示には諸態様および諸実施の両者または一方が例示的に説明されているが、説明した諸態様および諸実施の両者または一方に関して添付の特許請求の範囲に定義されている範囲から逸脱することもなく様々な変更や修正を施すことができることに注意すること。さらに、説明した諸態様および諸実施の両者または一方の諸要素は単数形で記載されていたり請求されていたりするが、単数に特定する旨が明示的に述べられていない限り複数が予期されている。さらに、特に断らない限り任意の態様および実施の両者または一方の全てまたは一部が別の任意の態様および実施の両者または一方の全てまたは一部と一緒に用いられることもあり得る。
以下に本件出願当初の特許請求の範囲に記載された発明を付記する。
［１］電話会議を確立するための方法であって、
前記電話会議および一人以上の関係者に関する登録要求をサーバで受信すること、
前記電話会議に参加するための電話会議情報から成る招待と一緒に通知を前記１人以上の関係者に送信すること、
前記招待の中の前記電話会議情報を選択することによる前記電話会議への参加要求を少なくとも１人の関係者から受信すること、および
前記少なくとも１人の関係者と一緒に前記電話会議を確立すること
を具備する方法。
［２］前記登録要求が前記１人以上の関係者を前記電話会議に招待する通信経路をさらに具備する［１］記載の方法。
［３］前記通信経路がＳＭＳメッセージ、ＭＭＳメッセージ、電話、イーメールメッセージ、インスタントメッセージ、ウェブの同報通信、ソーシャルネットワークメッセージの一つを具備する［２］記載の方法。
［４］前記１人以上の関係者が、前記電話会議の主催者に関連付けられている交信相手のリストから選択される［１］記載の方法。
［５］前記通知が、ＳＭＳメッセージ、ＭＭＳメッセージ、電話、イーメールメッセージ、インスタントメッセージ、ウェブの同報通信、ソーシャルネットワークメッセージの１つを具備する［１］記載の方法。
［６］前記通知が、前記１人以上の関係者に関連付けられている通信装置に基づいて前記１人以上の関係者毎に調整される［５］記載の方法。
［７］前記電話会議情報が電話会議の名称、電話会議のアドレス、電話会議の識別、電話会議の時間、電話会議にアクセスするためのパスコードの一つを具備する［１］記載の方法。
［８］前記電話会議の前記アドレスが前記サーバの宛先アドレスである［１］記載の方法。
［９］前記サーバの前記宛先アドレスへのリンクを選択することをさらに具備する［８］記載の方法。
［１０］前記電話会議のために前記少なくとも１人の関係者を認証すること、
前記電話会議のために認証された前記少なくとも１人の関係者と一緒に前記電話会議を確立すること
をさらに具備する［１］記載の方法。
［１１］前記少なくとも１人の関係者を認証することは、
前記少なくとも１人の関係者に関連付けられている識別が前記電話会議のための認められている識別であるのかどうかを判定すること、および
前記識別が前記電話会議のための前記認められている識別である場合には前記少なくとも１人の関係者を前記電話会議に接続すること
をさらに具備する［１０］記載の方法。
［１２］前記少なくとも１人の関係者に関連付けられている前記識別には通信装置の電話番号、無線装置のＳＩＭ番号、位置、生体識別情報の一つを具備する［１１］記載の方法。
［１３］前記認められている識別には通信装置の電話番号、無線装置のＳＩＭ番号、位置、生体識別情報の一つを具備する［１１］記載の方法。
［１４］前記判定することは、
前記少なくとも１人の関係者に関連付けられている前記識別を前記会議のための１件以上の認められている識別と比較すること、
前記少なくとも１人の関係者に関連付けられている前記識別が前記会議のための少なくとも１件の前記認められている識別と整合している場合には前記識別が前記会議のための認められている識別であることを表示すること、および
前記少なくとも１人の関係者に関連付けられている前記識別が前記会議のための少なくとも１件の前記認められている識別と整合していない場合には前記識別が前記会議のための認められている識別ではないことを表示すること
を具備する［１１］記載の方法。
［１５］前記少なくとも１人の関係者が前記電話会議にアクセスするためのアクセスコードを有しているかどうかを判定すること、および
前記少なくとも１人の関係者が前記電話会議にアクセスするための前記アクセスコードを有している場合には前記少なくとも１人の関係者を前記電話会議に接続すること
をさらに具備する［１１］記載の方法。
［１６］確立された電話会議を記録すること、および
前記記録された電話会議を記憶すること
をさらに具備する［１］記載の前記方法。
［１７］前記電話会議が前記招待の送信と同時に確立される［１］記載の方法。
［１８］懸案の電話会議に参加していない１人以上の関係者に前記懸案の電話会議に参加するための招待と一緒に別の通知を送信することをさらに具備する［１７］記載の方法。
［１９］前記懸案の電話会議に参加するための別の要求を前記１人以上の関係者から受信すること、および
前記懸案の電話会議に参加するための前記要求を受信すると前記１人以上の関係者を前記懸案の電話会議に直ぐに参加させること
をさらに具備する［１８］記載の方法。
［２０］前記１人以上の関係者が前記電話会議に直ぐに参加することになることを示すメッセージを流すことをさらに具備する［１７］記載の方法。
［２１］電話会議を確立するように構成されている少なくとも１台のプロセッサであって、
前記電話会議および１人以上の関係者に関する登録要求を受信する第１モジュール、
前記電話会議に参加するための電話会議情報から成る招待と一緒に通知を前記１人以上の関係者に送信する第２モジュール、
前記招待の中の前記電話会議情報を選択することによる前記電話会議への参加要求を少なくとも１人の関係者から受信する第３モジュール、および
前記少なくとも１人の関係者と一緒に前記電話会議を確立する第４モジュール
を具備するプロセッサ。
［２２］電話会議および１人以上の関係者に関する登録要求を受信することをコンピュータに行わせる少なくとも一つの命令、
前記電話会議に参加するための電話会議情報から成る招待と一緒に通知を前記１人以上の関係者に送信することを前記コンピュータに行わせる少なくとも一つの命令、
前記招待の中の前記電話会議情報を選択することによる前記電話会議への参加要求を少なくとも１人の関係者から受信することを前記コンピュータに行わせる少なくとも一つの命令、
前記少なくとも１人の関係者と一緒に前記電話会議を確立することを前記コンピュータに行わせる少なくとも一つの命令
を具備するコンピュータ可読媒体を具備するコンピュータプログラム製品。
［２３］電話会議および１人以上の関係者に関する登録要求を受信する手段、
前記電話会議に参加するための電話会議情報から成る招待と一緒に通知を前記１人以上の関係者に送信する手段、
前記招待の中の前記電話会議情報を選択することによる前記電話会議への参加要求を少なくとも１人の関係者から受信する手段、および
前記少なくとも１人の関係者と一緒に前記電話会議を確立する手段
を具備する装置。
［２４］電話会議を確立する装置であって、
前記電話会議および１人以上の関係者に関する登録要求を受信するように作動する会議管理プログラム、
前記電話会議に参加するための電話会議情報から成る招待と一緒に通知を前記１人以上の関係者に送信するように作動する通知コンポーネント、
前記招待の中の前記電話会議情報を選択することによる前記電話会議への参加要求を少なくとも１人の関係者から受信するようにさらに作動する前記の会議管理プログラム、および
前記少なくとも１人の関係者と一緒に前記電話会議を確立するように作動する通信コンポーネント
を具備する装置。
［２５］前記登録要求が前記１人以上の関係者を前記電話会議に招待する通信経路をさらに具備する［２４］記載の装置。
［２６］前記通信経路がＳＭＳメッセージ、ＭＭＳメッセージ、電話、イーメールメッセージ、インスタントメッセージ、ウェブの同報通信、ソーシャルネットワークメッセージの１つを具備する［２５］記載の装置。
［２７］前記１人以上の関係者が、前記電話会議の主催者に関連付けられている交信相手のリストから選択される［２４］記載の装置。
［２８］前記通知が、ＳＭＳメッセージ、ＭＭＳメッセージ、電話、イーメールメッセージ、インスタントメッセージ、ウェブの同報通信、ソーシャルネットワークメッセージの一つを備える［２４］記載の装置。
［２９］前記通知コンポーネントが、前記１人以上の関係者に関連付けられている通信装置に基づいて前記１人以上の関係者毎に前記通知を調整する［２８］記載の装置。
［３０］前記電話会議情報が電話会議の名称、電話会議のアドレス、電話会議の識別、電話会議の時間、電話会議にアクセスするためのパスコードの一つを具備する［２４］記載の装置。
［３１］前記電話会議の前記アドレスがサーバの宛先アドレスである［２４］記載の装置。
［３２］前記電話会議情報を選択することには前記サーバの前記宛先アドレスへのリンクを選択することをさらに具備する［３１］記載の装置。
［３３］前記電話会議のために前記少なくとも１人の関係者を認証するように作動する検証コンポーネント、および
前記電話会議のために認証された前記少なくとも１人の関係者と一緒に前記電話会議を確立するように作動する前記の通信コンポーネント
をさらに具備する［２４］記載の装置。
［３４］前記検証コンポーネントが、前記少なくとも１人の関係者に関連付けられている識別が前記電話会議のための認められている識別であるのかどうかを判定するように作動し、
前記通信コンポーネントが、さらに、前記識別が前記電話会議のための前記認められている識別である場合には前記少なくとも１人の関係者を前記電話会議に接続するように作動する［３３］記載の装置。
［３５］前記少なくとも１人の関係者に関連付けられている前記識別には通信装置の電話番号、無線装置のＳＩＭ番号、位置、生体識別情報の一つを具備する［３４］記載の装置。
［３６］前記認められている識別には通信装置の電話番号、無線装置のＳＩＭ番号、位置、生体識別情報の一つを具備する［３４］記載の装置。
［３７］前記検証コンポーネントが、さらに、
前記少なくとも１人の関係者に関連付けられている前記識別を前記会議のための１件以上の認められている識別と比較し、
前記少なくとも１人の関係者に関連付けられている前記識別が前記会議のための少なくとも１件の前記認められている識別と整合している場合には前記識別が前記会議のための認められている識別であることを表示し、
前記少なくとも１人の関係者に関連付けられている前記識別が前記会議のための少なくとも１件の前記認められている識別と整合していない場合には前記識別が前記会議のための認められている識別ではないことを表示する
ように作動する［３４］記載の装置。
［３８］前記通信コンポーネントが、さらに、
前記少なくとも１人の関係者が前記電話会議にアクセスするためのアクセスコードを有しているかどうかを判定するように前記検証コンポーネントがさらに作動し、
前記少なくとも１人の関係者が前記電話会議にアクセスするための前記アクセスコードを有している場合には前記少なくとも１人の関係者を前記電話会議に接続する
ように作動する［３４］記載の装置。
［３９］前記確立された電話会議を記録し、前記記録された電話会議を記憶する記録コンポーネントをさらに具備する［２４］記載の装置。
［４０］前記通信コンポーネントが前記招待の送信と同時に前記電話会議を確立するようにさらに作動する［２４］記載の装置。
［４１］前記通知コンポーネントが、さらに、懸案の電話会議に参加していない１人以上の関係者に前記懸案の電話会議に参加するための招待と一緒に別の通知を送信するように作動する［４０］記載の装置。
［４２］前記会議管理プログラムが、さらに、前記懸案の電話会議に参加するための要求を前記１人以上の関係者から受信して、前記懸案の電話会議に参加するための前記要求を受信すると前記１人以上の関係者を前記懸案の電話会議に直ぐに参加させるように作動する［４１］記載の装置。
［４３］前記通信コンポーネントが、さらに、前記１人以上の関係者が前記電話会議に直ぐに参加することになることを示すメッセージを流すように作動する［４０］記載の装置。
［４４］電話会議に参加する方法であって、
１件以上の電話会議に参加するための招待を無線装置で受信すること、
参加する第１の電話会議を選択すること、および
前記無線装置に関連付けられている識別に基づいて前記第１の電話会議に直ぐに参加すること
を具備する方法。
［４５］参加する第２の電話会議を選択することをさらに具備する［４４］記載の方法。
［４６］前記第２の電話会議を選択することは、メニューの選択肢か電話のキーの一方を用いて前記第２の電話会議を選択することを具備する［４５］記載の方法。
［４７］前記第２の電話会議に切り替えることをさらに具備する［４５］記載の方法。
［４８］前記第２の電話会議に切り替えることは、前記第１の電話会議から切断することをさらに具備する［４７］記載の方法。
［４９］前記第１の電話会議および前記第２の電話会議が同時に保留中である［４５］記載の方法。
［５０］電話会議に参加するための少なくとも１台のプロセッサであって、
１件以上の電話会議に参加するための招待を受信する第１モジュール、
参加する第１の電話会議を選択する第２モジュール、および
無線装置に関連付けられている識別に基づいて前記第１の電話会議に直ぐに参加する第３モジュール
を具備するプロセッサ。
［５１］１件以上の電話会議に参加するための招待を受信することをコンピュータに行わせる少なくとも一つの命令、
参加する第１の電話会議を選択することを前記コンピュータに行わせる少なくとも一つの命令、
無線装置に関連付けられている識別に基づいて前記第１の電話会議に直ぐに参加することを前記コンピュータに行わせる少なくとも１つの命令
を具備するコンピュータ可読媒体を具備するコンピュータプログラム製品。
［５２］１件以上の電話会議に参加するための招待を受信する手段、
参加する第１の電話会議を選択する手段、
無線装置に関連付けられている識別に基づいて前記第１の電話会議に直ぐに参加する手段
を具備する装置。
［５３］電話会議に参加するための装置であって、
１件以上の電話会議に参加するための招待を受信するように作動するコンポーネント、
参加する第１の電話会議を選択するように作動するコンポーネント、および
無線装置に関連付けられている識別に基づいて前記第１の電話会議に直ぐに参加するように作動する通信コンポーネント
を具備する装置。
［５４］参加する第２の電話会議を選択するように前記コンポーネントがさらに作動する［５３］記載の装置。
［５５］前記第２の電話会議を選択することは、メニューの選択肢か電話のキーの一方を用いて前記第２の電話会議を選択することを具備する［５４］記載の装置。
［５６］前記通信コンポーネントが前記第２の電話会議に切り替えるようにさらに作動する［５４］記載の装置。
［５７］前記第２の電話会議に切り替えることは、前記第１の電話会議から切断することをさらに具備する［５６］記載の装置。
［５８］前記第１の電話会議および前記第２の電話会議が同時に保留中である［５４］記載の装置。
【国際調査報告】
2013518531.tif 000014
2013518531.tif 000015